(57)【特許請求の範囲】
【請求項１】
（ａ）導電性の金属から成る端子と、該端子が組込まれる絶縁部と、該絶縁部が組込まれる導電性の金属から成る外側導体部とを備えるケーブルコネクタであって、
（ｂ）前記絶縁部は、一半部、他半部、及び、前記一半部と他半部とを接続する接続部を含み、前記一半部に端子が組込まれた状態で前記接続部が折曲げられて前記他半部が前記一半部と合体されることにより、前記端子が絶縁部に組込まれ、
（ｃ）前記端子は、該端子が製造用保持部材から切断分離されることによって形成され、前記絶縁部の凹部内に露出する切断部を含み、
（ｄ）前記他半部は、前記接続部を中心として回転させられて前記一半部と合体され、前記凹部は、前記一半部及び他半部において、嵌合する方向と反対側に形成されることを特徴とするケーブルコネクタ。
【請求項２】
前記絶縁部は、嵌合する方向に向いた面が開放された前方空洞部及び後方空洞部を含み、前記端子は、前記前方空洞部内に露出する一対の接触部、前記後方空洞部内に露出する圧接部、及び、前記接触部と圧接部とを接続する本体部を含み、前記他半部の前方空洞部には、前記他半部が前記一半部と合体される際に前記端子の接触部との干渉を避けるための逃げ凹部が形成されている請求項１に記載のケーブルコネクタ。
【発明の詳細な説明】
【技術分野】
【０００１】
本発明は、ケーブルコネクタに関するものである。
【背景技術】
【０００２】
従来、電線等のケーブルの先端には、前記ケーブルを電気部品、電子部品等が備えるレセプタクル等に接続するためのケーブルコネクタが取付けられている（例えば、特許文献１参照。）。
【０００３】
図１２は従来のケーブルコネクタの分解図である。
【０００４】
図において、８５１は金属から成る端子本体部であり、８１１は絶縁性材料から成る雌コネクタのハウジングであり、８６１は金属から成る外側金属部である。前記端子本体部８５１は、その先端に位置する接触部８５３が、ハウジング８１１の先端に位置する接続凸部８１３内に収容されるようにして、ハウジング８１１内に収容される。また、該ハウジング８１１は、接続凸部８１３が、外側金属部８６１の先端に位置する前方部８６２内に収容されるようにして、外側金属部８６１内に収容される。
【０００５】
なお、ケーブル８９０の先端から第１の長さ範囲では、外側絶縁被覆８９１が剥（は）がされて、内側絶縁被覆８９３の周囲を覆う外側導体８９２が露出し、さらに、ケーブル８９０の先端から第２の長さ範囲（第１の長さ範囲より短い）では、外側導体８９２が剥がされて、中心導体８９４の周囲を覆う内側絶縁被覆８９３が露出している。
【０００６】
そして、前記ケーブル８９０を上方から下方に移動させてケーブルコネクタ内に押込むと、外側導体８９２が剥がされて内側絶縁被覆８９３が露出している部分が、端子本体部８５１の後端に位置する一対の圧接部８５２の間に押込まれる。この際に、内側絶縁被覆８９３が圧接部８５２によって切断され、中心導体８９４が圧接部８５２に接触するので、中心導体８９４と端子本体部８５１とが導通する。
【０００７】
また、前記ケーブル８９０がケーブルコネクタ内に押込まれた後、外側金属部８６１の導体かしめ部８６３ａ、被覆かしめ部８６３ｂ及び主かしめ部８６４ａを折曲げてケーブル８９０をかしめ固定する。この際、外側導体８９２に導体かしめ部８６３ａが接触するので、外側導体８９２と外側金属部８６１とが導通する。また、主かしめ部８６４ａは、弾性部材８６４ｂを間に介在させて、ハウジング８１１の保持部８１６をかしめ固定し、該保持部８１６内に収容された中心導体８９４と圧接部８５２との接触状態を保持する。
【先行技術文献】
【特許文献】
【０００８】
【特許文献１】特開２０１０−０６７４２６号公報
【発明の概要】
【発明が解決しようとする課題】
【０００９】
しかしながら、前記従来のケーブルコネクタにおいては、外側金属部８６１内に収容された状態のハウジング８１１内に、端子本体部８５１を上方から下方に移動させて、収容させるようになっているので、組立作業性が低く、組立作業に時間がかかり、製造コストが上昇してしまう。近年、電子機器等の小型化に伴い、ケーブルコネクタの小型化も進展しており、端子本体部８５１も微小になっている。このように微小な端子本体部８５１をピンセット等で保持しつつ移動させ、ハウジング８１１内に正確な姿勢で収容させる作業は、容易でなく、時間がかかってしまう。
【００１０】
本発明は、前記従来の問題点を解決して、端子の切断部が絶縁部の凹部内に露出するようにして、端子は、絶縁部に組込まれた後に製造用保持部材から切断分離可能となるので、端子と絶縁部との組立が容易であり、組立作業性が高く、製造コストが低く、信頼性の高いケーブルコネクタを提供することを目的とする。
【課題を解決するための手段】
【００１１】
そのために、本発明のケーブルコネクタにおいては、導電性の金属から成る端子と、該端子が組込まれる絶縁部と、該絶縁部が組込まれる導電性の金属から成る外側導体部とを備えるケーブルコネクタであって、前記絶縁部は、一半部、他半部、及び、前記一半部と他半部とを接続する接続部を含み、前記一半部に端子が組込まれた状態で前記接続部が折曲げられて前記他半部が前記一半部と合体されることにより、前記端子が絶縁部に組込まれ、前記端子は、該端子が製造用保持部材から切断分離されることによって形成され、前記絶縁部の凹部内に露出する切断部を含み、前記他半部は、前記接続部を中心として回転させられて前記一半部と合体され、前記凹部は、前記一半部及び他半部において、嵌合する方向と反対側に形成される。
【００１５】
本発明の更に他のケーブルコネクタにおいては、さらに、前記絶縁部は、嵌合する方向に向いた面が開放された前方空洞部及び後方空洞部を含み、前記端子は、前記前方空洞部内に露出する一対の接触部、前記後方空洞部内に露出する圧接部、及び、前記接触部と圧接部とを接続する本体部を含み、前記他半部の前方空洞部には、前記他半部が前記一半部と合体される際に前記端子の接触部との干渉を避けるための逃げ凹部が形成されている。
【発明の効果】
【００１６】
本発明によれば、端子の切断部が絶縁部の凹部内に露出するようになっている。これにより、端子は、絶縁部に組込まれた後に製造用保持部材から切断分離可能となる。したがって、端子と絶縁部との組立が容易であり、組立作業性が高く、製造コストが低く、信頼性の高いケーブルコネクタを得ることができる。
【図面の簡単な説明】
【００１７】
【図１】本発明の実施の形態におけるケーブルコネクタの上面図である。
【図２】本発明の実施の形態におけるケーブルが接続されたケーブルコネクタの二面図であって、（ａ）は上面図、（ｂ）は（ａ）におけるＡ−Ａ矢視断面図である。
【図３】本発明の実施の形態におけるケーブルが接続されたケーブルコネクタの斜視図であって、（ａ）はかしめ部の変形前を示す図、（ｂ）はかしめ部の変形後を示す図である。
【図４】本発明の実施の形態におけるケーブルコネクタの絶縁部の六面図であって、（ａ）は上面図、（ｂ）は前面図、（ｃ）は側面図、（ｄ）は下面図、（ｅ）は後面図、（ｆ）は斜視図である。
【図５】本発明の実施の形態におけるケーブルコネクタの端子の六面図であって、（ａ）は上面図、（ｂ）は前面図、（ｃ）は側面図、（ｄ）は下面図、（ｅ）は後面図、（ｆ）は斜視図である。
【図６】本発明の実施の形態におけるケーブルコネクタの外側導体部の斜視図であって、（ａ）は接続片の折曲げ後を示す図、（ｂ）は接続片の折曲げ前を示す図である。
【図７】本発明の実施の形態におけるケーブルコネクタの絶縁部の組立前の五面図であって、（ａ）は上面図、（ｂ）は前面図、（ｃ）は下面図、（ｄ）は側面図、（ｅ）は斜視図である。
【図８】本発明の実施の形態におけるケーブルコネクタの絶縁部に端子を組込む工程を示す第１の図であって、（ａ）〜（ｄ）は各工程を示す図である。
【図９】本発明の実施の形態におけるケーブルコネクタの絶縁部に端子を組込む工程を示す第２の図であって、（ａ）〜（ｃ）は各工程を示す図である。
【図１０】本発明の実施の形態におけるケーブルコネクタの絶縁部に端子を組込む工程を示す第３の図であって、（ａ）及び（ｂ）は視点の異なる斜視図である。
【図１１】本発明の実施の形態におけるケーブルコネクタの外側導体部に絶縁部を組込む工程を示す図である。
【図１２】従来のケーブルコネクタの分解図である。
【発明を実施するための形態】
【００１８】
以下、本発明の実施の形態について図面を参照しながら詳細に説明する。
【００１９】
図１は本発明の実施の形態におけるケーブルコネクタの上面図、図２は本発明の実施の形態におけるケーブルが接続されたケーブルコネクタの二面図、図３は本発明の実施の形態におけるケーブルが接続されたケーブルコネクタの斜視図、図４は本発明の実施の形態におけるケーブルコネクタの絶縁部の六面図、図５は本発明の実施の形態におけるケーブルコネクタの端子の六面図、図６は本発明の実施の形態におけるケーブルコネクタの外側導体部の斜視図である。なお、図２において、（ａ）は上面図、（ｂ）は（ａ）におけるＡ−Ａ矢視断面図であり、図３において、（ａ）はかしめ部の変形前を示す図、（ｂ）はかしめ部の変形後を示す図であり、図４及び５において、（ａ）は上面図、（ｂ）は前面図、（ｃ）は側面図、（ｄ）は下面図、（ｅ）は後面図、（ｆ）は斜視図であり、図６において、（ａ）は接続片の折曲げ後を示す図、（ｂ）は接続片の折曲げ前を示す図である。
【００２０】
図において、１０は本実施の形態におけるケーブルコネクタとしてのコネクタであり、図２に示されるように、ケーブルとしての電線９０の先端に接続された状態で使用され、図示されない相手方コネクタに嵌（かん）合される。該相手方コネクタは、例えば、パーソナルコンピュータ、携帯電話機、スマートフォン、タブレット端末、車両用ナビゲーション装置、ゲーム機等の電気機器、電子機器等に使用されるプリント回路基板、フレキシブル回路基板等に実装されたコネクタであるが、いかなる種類の基板であってもよい。
【００２１】
また、前記電線９０も、いかなる種類の装置に使用されるいかなる種類の電線であってもよいが、ここでは、図３等に示されるように、中心導体９４の周囲を外側導体９２が覆う、いわゆる同軸ケーブルであるものとして説明する。前記電線９０は、導電性の金属線等から成る中心導体９４と、合成樹脂等の絶縁性材料から成り、前記中心導体９４の周囲を被覆する内側被覆９３と、導電性の金属網等から成り、内側被覆９３の周囲を覆う外側導体９２と、合成樹脂等の絶縁性材料から成り、前記外側導体９２の周囲を被覆する外側被覆９１とを備える。そして、前記電線９０の先端から第１の長さ範囲では外側被覆９１が剥（はく）離されて外側導体９２が露出しており、前記電線９０の先端から前記第１の長さよりも短い第２の長さ範囲では、更に外側導体９２も剥離されて内側被覆９３が露出しているものとする。
【００２２】
ここで、前記電線９０及びコネクタ１０は、電力を供給するためのものであってもよいし、信号を伝達するためのものであってもよい。さらに、前記電線９０は、例えば、直径が１．２〜１．５〔ｍｍ〕程度の太さのものであり、前記コネクタ１０は、例えば、その高さ（図２（ｂ）における左右方向の寸法）が１．２〜１．５〔ｍｍ〕程度の低背型のものであるとして、説明する。
【００２３】
なお、本実施の形態において、コネクタ１０及び電線９０の各部の構成及び動作を説明するために使用される上、下、左、右、前、後等の方向を示す表現は、絶対的なものでなく相対的なものであり、前記コネクタ１０及び電線９０の各部が図に示される姿勢である場合に適切であるが、その姿勢が変化した場合には姿勢の変化に応じて変更して解釈されるべきものである。
【００２４】
前記コネクタ１０は、導電性の金属板に打抜き、折曲げ等の加工を施して成形された外側導体部６１と、合成樹脂等の絶縁性材料によって形成され、前記外側導体部６１内に収容された絶縁部１１と、導電性の金属板に打抜き、折曲げ等の加工を施して成形され、前記絶縁部１１内に組込まれた端子５１とを備える。
【００２５】
図４等に示されるように、前記絶縁部１１は、平面視において略円形の頭部１３と、平面視において略矩（く）形であって前記頭部１３の後端に接続された胴部１６とを備える。さらに、前記頭部１３には、上面が開放された前方空洞部１５が形成され、前記胴部１６には、上面及び後面が開放された後方空洞部１７が形成されている。前記前方空洞部１５と後方空洞部１７とは、底板１２に沿って形成された連通路１７ａによって互いに連通している。なお、該連通路１７ａの前端には、下面及び前面が開放されるように頭部１３の前端下面に形成された凹部１３ｃが接続されている。
【００２６】
また、前記頭部１３の左右の外面には係止凹部１３ｂが形成され、胴部１６の左右の外面には係止凸部１６ｂが形成されている。前記係止凹部１３ｂ及び係止凸部１６ｂは、外側導体部６１の係止凸部６５ｂ及び係止凹部６６ｂによってそれぞれ係止され、これにより、絶縁部１１は、外側導体部６１内から離脱することが防止される。また、前記胴部１６には、後方空洞部１７内に突出する一対の保持突起１６ａが形成されている。これにより、前記後方空洞部１７内に押込まれた電線９０において露出している内側被覆９３は、後方空洞部１７内から離脱することが防止される。
【００２７】
そして、前記端子５１は、その前端近傍に形成された一対の接触部５３が前方空洞部１５内に露出し、その後端に形成された圧接部５２の一対の圧接片５２ａが後方空洞部１７内に露出するように、絶縁部１１内に組込まれている。なお、前記接触部５３は、コネクタ１０が相手方コネクタと嵌合したときに、該相手方コネクタが備える相手方端子と接触する部分であり、前記圧接片５２ａは電線９０の中心導体９４に圧接する部分であり、前記接触部５３及び圧接部５２は、本体部５１ａを介して互いに接続されている。
【００２８】
該本体部５１ａは、前後方向に延在する略矩形の板部材であって、前端に切断部５１ｃが形成され、一方の側縁には外方に突出する突出片５１ｂが形成されている。また、前記圧接部５２は、本体部５１ａの後端に接続された音叉（さ）状乃至フォーク状の部分であり、二股に分かれて一対の圧接片５２ａを形成するとともに、該圧接片５２ａ同士の間には、スリット状の中心導体収容空間５２ｂが形成されている。そして、図２（ｂ）に示されるように、前記本体部５１ａは、その大半が絶縁部１１の連通路１７ａ内に収容され、その前端に形成された切断部５１ｃが、絶縁部１１の凹部１３ｃ内に露出している。前記切断部５１ｃは、絶縁部１１の外に突出しておらず、外側導体部６１に接触することがない。
【００２９】
該外側導体部６１は、接続片６１ｃによって互いに接続された外側部６１ａと内側部６１ｂとを備える。そして、前記外側部６１ａは、前後方向に延在する平板状の底板部６２と、該底板部６２の幅方向両側縁から立設するように形成された一対の第１保持壁部６４ａ、一対の第２保持壁部６４ｂ、一対の第１かしめ部６３ａ及び一対の第２かしめ部６３ｂとを含んでいる。また、前記内側部６１ｂは、略半円筒形状の頭収容壁部６５と、該頭収容壁部６５の後端から後方に延在する一対の胴収容壁部６６と、該胴収容壁部６６の後端から後方に延在する一対の電線収容壁部６７とを含んでいる。
【００３０】
そして、外側導体部６１は、図６（ｂ）に示されるような姿勢において接続片６１ｃが折曲げられることにより、図６（ａ）に示されるような姿勢、すなわち、内側部６１ｂが外側部６１ａ内に収容された状態となる。図６（ａ）に示されるような状態において、頭収容壁部６５の左右の外面に形成された係止凹部６５ｃには一対の第１保持壁部６４ａの内面に形成された第１係止凸部６４ｃが係止し、一対の胴収容壁部６６の上端縁には一対の第２保持壁部６４ｂの内面に形成された第２係止凸部６４ｄが係止する。これにより、内側部６１ｂが外側部６１ａ内に収容された状態が維持され、図６（ｂ）に示されるような状態に復帰することが防止される。なお、頭収容壁部６５の左右の内面には係止凸部６５ｂが形成され、一対の胴収容壁部６６の内面には係止凹部６６ｂが形成されている。
【００３１】
そして、端子５１が組込まれた絶縁部１１が、図６（ａ）に示されるような状態の外側導体部６１の内側部６１ｂ内に収容することにより、図１に示されるようなコネクタ１０を得ることができる。この状態で、絶縁部１１の係止凹部１３ｂ及び係止凸部１６ｂは、内側部６１ｂの係止凸部６５ｂ及び係止凹部６６ｂによってそれぞれ係止され、これにより、絶縁部１１が内側部６１ｂ内から離脱することが防止される。
【００３２】
図１に示されるようなコネクタ１０内に、前記電線９０の先端から所定の範囲を上方から下方に移動させて押込むと、図３（ａ）に示されるような状態になる。具体的には、電線９０の先端から前記第２の長さ範囲の内側被覆９３が露出している部分が、絶縁部１１の後方空洞部１７内に押込まれる。すると、該後方空洞部１７内において下から上に向って突出した状態になっている一対の圧接片５２ａによって内側被覆９３が切断され、該内側被覆９３内の中心導体９４は、対向する圧接片５２ａ同士の間に形成されたスリット状の中心導体収容空間５２ｂ内に押込まれ、圧接片５２ａと導通する。なお、後方空洞部１７内には左右から一対の保持突起１６ａが突出しているので、後方空洞部１７内に押込まれた内側被覆９３は、後方空洞部１７内から離脱することがない。
【００３３】
また、前記電線９０において、内側被覆９３が露出している部分より後方の外側導体９２が露出している部分は、一対の第１かしめ部６３ａの内側に位置する一対の電線収容壁部６７の間に押込まれ、前記外側導体９２が露出している部分より後方の外側被覆９１で被覆された部分は、一対の第２かしめ部６３ｂの間に押込まれる。そして、一対の第１かしめ部６３ａ及び一対の第２かしめ部６３ｂが、内側に向けて曲げられ、図３（ｂ）に示されるような形状となることで、電線９０はかしめ固定される。また、外側導体９２が第１かしめ部６３ａ及びその内側に位置する電線収容壁部６７と密着させられるので、外側導体９２と外側導体部６１との導通が確実なものとなる。なお、図３（ｂ）においては、図示の都合上、第１かしめ部６３ａ及び第２かしめ部６３ｂの一方（図における手前側）のみが描画されていることに留意されたい。
【００３４】
次に、前記端子５１、絶縁部１１及び外側導体部６１を組立てて、コネクタ１０を得る方法について説明する。
【００３５】
図７は本発明の実施の形態におけるケーブルコネクタの絶縁部の組立前の五面図、図８は本発明の実施の形態におけるケーブルコネクタの絶縁部に端子を組込む工程を示す第１の図、図９は本発明の実施の形態におけるケーブルコネクタの絶縁部に端子を組込む工程を示す第２の図、図１０は本発明の実施の形態におけるケーブルコネクタの絶縁部に端子を組込む工程を示す第３の図、図１１は本発明の実施の形態におけるケーブルコネクタの外側導体部に絶縁部を組込む工程を示す図である。なお、図７において、（ａ）は上面図、（ｂ）は前面図、（ｃ）は下面図、（ｄ）は側面図、（ｅ）は斜視図であり、図８において、（ａ）〜（ｄ）は各工程を示す図であり、図９において、（ａ）〜（ｃ）は各工程を示す図であり、図１０において、（ａ）及び（ｂ）は視点の異なる斜視図である。
【００３６】
本実施の形態における絶縁部１１は、当初において、図７に示されるように、接続部１１ｃによって互いに接続された一半部としての右半部１１ａと他半部としての左半部１１ｂとから成り、図８〜１０に示されるように、接続部１１ｃが折曲げられ、右半部１１ａと左半部１１ｂとが合体すると、図４に示されるような状態となる。そして、右半部１１ａにおける連通路１７ａの途中には、端子５１の本体部５１ａに形成された突出片５１ｂが嵌入されて係止される係止凹部１７ｂが形成されている。また、左半部１１ｂにおける前方空洞部１５の下端には、端子５１の接触部５３との干渉を防止する逃げ凹部１５ａが形成されている。
【００３７】
また、本実施の形態における端子５１は、当初において、図８〜１０に示されるように、その後端に製造用保持部材としてのキャリア７１が一体的に接続されている。該キャリア７１は、コネクタ１０又は端子５１を製造する過程において、端子５１の予備成形体の搬送、位置決め等の作業を容易に行うために、搬送機械、工作機械、工具、ジグ、オペレータの手等によって把持される部材であり、製造の最終段階において切除される。一般的に、キャリア７１は、端子５１と同一の導電性の金属板から成る長い帯状の板部材であり、複数の端子５１が並列に配列されて接続されている。なお、図８（ａ）に示される例では、図示の都合上、端子５１の数が２つとなっている。そして、絶縁部１１に端子５１を組込む前にはキャリア７１が分割され、図８（ｂ）に示されるように、分割された各キャリア７１に端子５１が１つずつ接続されているようになる。
【００３８】
前記キャリア７１は、その本体から突出する腕部７２と、該腕部７２の先端をクランク状に屈曲させて形成されたクランク部７３とを含み、該クランク部７３の先端に端子５１の本体部５１ａの前端が一体的に接続されている。これにより、端子５１の本体部５１ａは、キャリア７１の本体及び腕部７２と平行ではあるが、キャリア７１の本体及び腕部７２よりも一段上昇した状態となるので、絶縁部１１に端子５１を組込む作業を容易に行うことができる。
【００３９】
絶縁部１１に端子５１を組込む際には、まず、図８（ｂ）に示されるように、キャリア７１に接続された端子５１の側方から絶縁部１１を矢印Ｂで示される方向に相対的に移動させ、絶縁部１１の右半部１１ａを端子５１に組付ける。これにより、端子５１の右側の接触部５３及び圧接片５２ａが右半部１１ａの前方空洞部１５及び後方空洞部１７内に収容され、本体部５１ａの右半分が右半部１１ａの連通路１７ａに収容され、前記本体部５１ａに形成された突出片５１ｂが前記連通路１７ａに形成された係止凹部１７ｂに嵌入されて係止される。なお、図８（ｂ）及び図９（ａ）に示されるように、クランク部７３が絶縁部１１の凹部１３ｃを通過するので、キャリア７１の本体及び腕部７２が絶縁部１１と干渉することがない。
【００４０】
続いて、図８（ｃ）、図９（ｂ）及び図１０に示されるように、絶縁部１１の接続部１１ｃを中心とし、右半部１１ａに対して左半部１１ｂを回転させ、右半部１１ａと左半部１１ｂとを合体させる。これにより、図８（ｄ）及び図９（ｃ）に示されるように、絶縁部１１に端子５１が組込まれた状態となる。なお、左半部１１ｂにおける前方空洞部１５の下端に逃げ凹部１５ａが形成されているので、右半部１１ａに対して左半部１１ｂを回転させて右半部１１ａと左半部１１ｂとを合体させる際に、端子５１の左側の接触部５３が、特に接触部５３の膨出した部分が、左半部１１ｂと干渉することがない。
【００４１】
そして、図８（ｄ）及び図９（ｃ）に示されるように、絶縁部１１に組込まれた状態の端子５１における本体部５１ａの前端とキャリア７１のクランク部７３の先端との接続部分であって絶縁部１１の凹部１３ｃ内に位置する部分を切断し、端子５１をキャリア７１から分離する。これにより、図１１に示されるような端子５１が組込まれた絶縁部１１を得ることができる。また、端子５１の本体部５１ａの前端には、切断部５１ｃが形成される。なお、該切断部５１ｃは、絶縁部１１の凹部１３ｃ内に露出しているが、絶縁部１１の外には突出していない。
【００４２】
本実施の形態における外側導体部６１は、当初において、図１１に示されるように、その後端に製造用保持部材としての外側導体用キャリア７５が一体的に接続されている。該外側導体用キャリア７５は、コネクタ１０又は外側導体部６１を製造する過程において、を外側導体部６１の予備成形体の搬送、位置決め等の作業を容易に行うために、搬送機械、工作機械、工具、ジグ、オペレータの手等によって把持される部材であり、製造の最終段階において切除される。外側導体用キャリア７５は、外側導体部６１と同一の導電性の金属板から成る長い帯状の板部材であり、複数の外側導体部６１が並列に配列されて接続されているが、図１１に示される例では、図示の都合上、１つの外側導体部６１のみが接続されている。
【００４３】
そして、図１１に示されるように、端子５１が組込まれた絶縁部１１を外側導体部６１に対して相対的に下降させることにより、前記絶縁部１１を外側導体部６１の内側部６１ｂ内に収容させ、前記絶縁部１１を外側導体部６１に組込む。この際、絶縁部１１の係止凹部１３ｂ及び係止凸部１６ｂは、内側部６１ｂの係止凸部６５ｂ及び係止凹部６６ｂによってそれぞれ係止され、これにより、絶縁部１１が内側部６１ｂ内から離脱することが防止される。
【００４４】
最後に、外側導体部６１の底板部６２の後端と外側導体用キャリア７５の腕部７６の先端との接続部分を切断し、外側導体部６１を外側導体用キャリア７５から分離する。これにより、図１に示されるように、端子５１、絶縁部１１及び外側導体部６１が組立てられたコネクタ１０を得ることができる。なお、外側導体部６１の底板部６２の後端には、図１１に示されるように、切断部６２ｃが形成される。
【００４５】
このように、本実施の形態において、コネクタ１０は、導電性の金属から成る端子５１と、端子５１が組込まれる絶縁部１１と、絶縁部１１が組込まれる導電性の金属から成る外側導体部６１とを備える。そして、絶縁部１１は、右半部１１ａ、左半部１１ｂ、及び、右半部１１ａと左半部１１ｂとを接続する接続部１１ｃを含み、右半部１１ａに端子５１が組込まれた状態で接続部１１ｃが折曲げられて左半部１１ｂが右半部１１ａと合体されることにより、端子５１が絶縁部１１に組込まれ、端子５１は、端子５１がキャリア７１から切断分離されることによって形成され、絶縁部１１の凹部１３ｃ内に露出する切断部５１ｃを含む。
【００４６】
これにより、端子５１は、絶縁部１１に組込まれた後でもキャリア７１から切断分離可能となるので、端子５１と絶縁部１１との組立が容易になり、組立作業性が向上する。また、切断部５１ｃは、絶縁部１１の凹部１３ｃ内に露出し、絶縁部１１よりも外方に出ないので、外側導体部６１と接触する可能性がなく、コネクタ１０の信頼性が向上する。
【００４７】
また、左半部１１ｂは、接続部１１ｃを中心として回転させられて右半部１１ａと合体される。さらに、キャリア７１はクランク状に屈曲したクランク部７３を含み、切断部５１ｃは、端子５１とクランク部７３との接続部分に対応する。さらに、凹部１３ｃは、右半部１１ａ及び左半部１１ｂにおける接続部１１ｃと対応する部分に形成され、クランク部７３は凹部１３ｃを通過し、キャリア７１は右半部１１ａ及び左半部１１ｂの底板１２よりも下方に位置する。
【００４８】
さらに、絶縁部１１は、上面が開放された前方空洞部１５及び後方空洞部１７を含み、端子５１は、前方空洞部１５内に露出する一対の接触部５３、後方空洞部１７内に露出する圧接部５２、及び、接触部５３と圧接部５２とを接続する本体部５１ａを含み、左半部１１ｂの前方空洞部１５には、左半部１１ｂが右半部１１ａと合体される際に端子５１の接触部５３との干渉を避けるための逃げ凹部１５ａが形成されている。
【００４９】
なお、本発明は前記実施の形態に限定されるものではなく、本発明の趣旨に基づいて種々変形させることが可能であり、それらを本発明の範囲から排除するものではない。
【産業上の利用可能性】
【００５０】
本発明は、ケーブルコネクタに適用することができる。
【符号の説明】
【００５１】
１０    コネクタ
１１    絶縁部
１１ａ    右半部
１１ｂ    左半部
１１ｃ    接続部
１２    底板
１３    頭部
１３ｂ、１７ｂ、６５ｃ、６６ｂ    係止凹部
１３ｃ    凹部
１５    前方空洞部
１５ａ    逃げ凹部
１６    胴部
１６ａ    保持突起
１６ｂ、６５ｂ    係止凸部
１７    後方空洞部
１７ａ    連通路
５１    端子
５１ａ    本体部
５１ｂ    突出片
５１ｃ、６２ｃ    切断部
５２、８５２    圧接部
５２ａ    圧接片
５２ｂ    中心導体収容空間
５３、８５３    接触部
６１    外側導体部
６１ａ    外側部
６１ｂ    内側部
６１ｃ    接続片
６２    底板部
６３ａ    第１かしめ部
６３ｂ    第２かしめ部
６４ａ    第１保持壁部
６４ｂ    第２保持壁部
６４ｃ    第１係止凸部
６４ｄ    第２係止凸部
６５    頭収容壁部
６６    胴収容壁部
６７    電線収容壁部
７１    キャリア
７２、７６    腕部
７３    クランク部
７５    外側導体用キャリア
９０    電線
９１    外側被覆
９２、８９２    外側導体
９３    内側被覆
９４、８９４    中心導体
８１１    ハウジング
８１３    接続凸部
８１６    保持部
８５１    端子本体部
８６１    外側金属部
８６２    前方部
８６３ａ    導体かしめ部
８６３ｂ    被覆かしめ部
８６４ａ    主かしめ部
８６４ｂ    弾性部材
８９０    ケーブル
８９１    外側絶縁被覆
８９３    内側絶縁被覆
【図１】
0006664898.tif 000002
【図２】
0006664898.tif 000003
【図３】
0006664898.tif 000004
【図４】
0006664898.tif 000005
【図５】
0006664898.tif 000006
【図６】
0006664898.tif 000007
【図７】
0006664898.tif 000008
【図８】
0006664898.tif 000009
【図９】
0006664898.tif 000010
【図１０】
0006664898.tif 000011
【図１１】
0006664898.tif 000012
【図１２】
0006664898.tif 000013